(57)【要約】【課題】  使い勝手がよく、小型化できる撮像装置を提供する。【解決手段】  本発明に係る撮像装置は、動画を撮影するための第１のカメラ部の第１のレンズと、第１のカメラ部の第１のレンズと同質面上に設けられ、静止画を撮影するための第２のカメラ部の第２のレンズと、第１のレンズを通して動画を撮影する動画モードと第２のレンズを通して静止画を撮影する静止画モードのいずれかを選択することができるモード選択スイッチ及びモード選択スイッチにより選択された撮像モードに応じて第１のカメラ部と第２のカメラ部のいずれかを選択的に駆動させる制御部とを含む。【選択図】      図２
2005260959.tif 000002
【特許請求の範囲】
【請求項１】
動画を撮影するための第１のカメラ部と静止画を撮影するための第２のカメラ部を有する撮像装置において、
前記第１のカメラ部の第１のレンズと；
前記第１のカメラ部の第１のレンズと同質面上に設けられる前記第２のカメラ部の第２のレンズと；
前記第１のレンズを通して動画を撮影する動画モードと前記第２のレンズを通して静止画を撮影する静止画モードのいずれかを選択することができるモード選択スイッチと；
前記モード選択スイッチにより選択された撮像モードに応じて前記第１のカメラ部と第２のカメラ部のいずれかを選択的に駆動させる制御部とを含むことを特徴とする撮像装置。
【請求項２】
前記第２のレンズは、前記第１のレンズの下方に設けられることを特徴とする請求項１に記載の撮像装置。
【請求項３】
前記第１のレンズの上方にはフラッシュが設けられたことを特徴とする請求項２に記載の撮像装置。
【請求項４】
カセットテープが装・脱着される本体と；
前記本体の前面に設けられる第１のレンズと；
前記本体に設けられ、前記第１のレンズを通して捕らえた動画を撮影し記録する第１のカメラ部と；
前記第１のレンズと所定の距離隔てられて同一方向に向かうように前記本体の前面に設けられる第２のレンズと；
前記本体に設けられ、前記第２のレンズを通して捕らえた静止画を撮影し記録する第２のカメラ部と；
前記本体に設けられ、前記第１のカメラ部と前記第２のカメラ部より選ばれたいずれかのカメラ部のレンズを通して捕らえた画像を表示するディスプレイ手段と；
前記本体の一側に設けられ、前記第１のカメラ部で動画を撮影する動画モードと前記第２のカメラ部で静止画を撮影する静止画モードのいずれかを選択することができるモード選択スイッチと；
前記モード選択スイッチにより選択された撮像モードに応じて前記第１のカメラ部と第２のカメラ部のいずれかを選択的に駆動させる制御部とを含むことを特徴とする撮像装置。
【請求項５】
前記第２のレンズは、前記第１のレンズの下方に設けられることを特徴とする請求項４に記載の撮像装置。
【請求項６】
前記ディスプレイ手段は、前記本体に設けられ前記第１のカメラ部と第２のカメラ部のいずれかを通して捕らえる画像を表示するビューファインダー、及び前記本体に少なくとも１軸回転可能に設けられ、前記ビューファインダーとは独立して捕らえた画像を表示するディスプレイパネルとを含むことを特徴とする請求項５に記載の撮像装置。
【請求項７】
前記本体には、静止画を記録するフラッシュメモリが装・脱着可能なフラッシュメモリ装着部が設けられたことを特徴とする請求項５に記載の撮像装置。
【請求項８】
前記本体には、外部の音響信号を受信するマイクユニットが備えられたことを特徴とする請求項５に記載の撮像装置。
【発明の詳細な説明】
【技術分野】
【０００１】
本発明は、別のレンズを通して動画と静止画をそれぞれ撮影することができる撮像装置に係り、より詳しくは、動画用レンズと静止画用レンズが同質面上に配され、動画モードと静止画モードのいずれかを選択することができるモード選択スイッチを備えた撮像装置に係る。
【背景技術】
【０００２】
一般に、撮像装置は、大別して静止画を撮影するカメラと動画を撮影することを主な目的とするカムコーダーとに分けられるところ、カメラとカムコーダーとは、それぞれ独自的な機能的特性を有するため別体として開発され市販されている。従って、消費者は、カメラとカムコーダーをそれぞれ別体で買い上げ、静止画を撮りたい時はカメラを使用し、動画を撮りたい時はカムコーダーを使用する必要があった。しかし、このように撮りたい画像別にユーザが別体の装置を買い上げて使用する必要があるということから、経済性や使い勝手がよくないという問題点があった。
【０００３】
このような問題点を解決するために本出願人は、添付した図１に示すようにカメラとカムコーダーとが一体になった撮像装置を発明し出願したことがある。
【０００４】
図１に示すように、従来の技術による撮像装置は、本体１０と、カメラユニット２０と、ディスプレイ手段３０、及び制御部とを含む。
【０００５】
本体１０には、動画を記録するテープカセットを装・脱着するムービングデッキと静止画を記録するフラッシュメモリを装・脱着するフラッシュメモリ装着部が設けられる。
【０００６】
カメラユニット２０は、本体１０の一側に設けられ、動画を撮影するカムコーダー部と静止画を撮像するカメラ部を含む。カムコーダーとカメラ部は、それぞれのレンズの前面が相互逆方向に向かうように、即ち、カムコーダー部のレンズ２３とカメラ部のレンズとが相互１８０°をなすようにハウジング２１に組み付けられている。ハウジング２１は、本体１０の一側にヒンジ部により回転自在に設けられ、本体１０とハウジング２１との間には、ハウジング２１の回転を感知することにより選択されたレンズが確認できるモード感知部が設けられている。従って、ユーザは、ハウジング２１を本体に対し１８０°回転させることによりカメラとカムコーダーを選択的に使用することができる。即ち、カメラ部のレンズが前方に向かうとモード感知部でカメラ部が選択されたことと判別し、カムコーダー部のレンズ２３が前方に向かうとモード感知部でカムコーダーが選択されたことと判別することができるようになる。
【０００７】
ディスプレイ手段３０は、本体の後面に設けられ、カムコーダー部とカメラ部にて撮像する画像を表示するビューファインダー３１と、液晶表示装置３３（ＬＣＤ）を備える。
【０００８】
制御部（図示せず）は、本体１０の内部に設けられ、モード感知部で感知された信号によってカメラ部とカムコーダー部のいずれが選択されたかを判断し、それに応じてカメラ部とカムコーダー部を制御し、動画または静止画を撮影する。この時、カムコーダー部で撮影した画像は、ムービングデッキのテープカセットに記録され、カメラ部で撮影された画像は、フラッシュメモリ装着部に装着されたフラッシュメモリに記録される。
【０００９】
従って、ユーザは、動画を撮りたい場合には、カムコーダー部のレンズ２３が前方に向かうようにカメラユニット２０のハウジング２１を１８０°回転させれば済む。そうすると、制御部がモード感知部を介してカムコーダーが選択されたことを認識し、カムコーダー部を制御して撮影し、その撮影した動画をテープカセットに記録するようになる。もし、ユーザが静止画を撮りたい場合には、カメラユニット２０をまた１８０°回転させてカメラ部のレンズが前方に向かうようにする。そうすると、制御部がモード感知部を介してカメラ部が選択されたことを認識し、カメラ部を制御して撮影し、その撮影した静止画をフラッシュメモリに記録するようになる。従って、ユーザは、一つの装置を携帯するだけで必要に応じて動画を撮ることもでき、また、高画質の静止画も撮ることができる。
【００１０】
しかし、従来の一体型撮像装置においては、カムコーダー機能とカメラ機能を選択し使用するためには、ユーザがカメラユニット２０を１８０°回転させる必要があるため、使い勝手がよくないという問題があった。また、カムコーダー部のレンズ２３とカメラ部のレンズを、回転自在のハウジング２１に１８０°の間隔で配設したため、比較的に大型になり、携帯性に劣るという問題もあった。
【発明の開示】
【発明が解決しようとする課題】
【００１１】
従って、本発明は、前記のような問題点に鑑みてなされたものであって、その目的は、カメラ用レンズとカムコーダー用レンズとを同一方向に向かうように設け、カメラ機能とカムコーダー機能のいずれかを選択することができる選択スイッチを設けることにより、使い勝手がよく、小型化できる撮像装置を提供することである。
【課題を解決するための手段】
【００１２】
前記のような本発明の目的は、動画を撮影するための第１のカメラ部と静止画を撮影するための第２のカメラ部を有する撮像装置において、前記第１のカメラ部の第１のレンズと；前記第１のカメラ部の第１のレンズと同質面上に設けられる前記第２のカメラ部の第２のレンズと；前記第１のレンズを通して動画を撮影する動画モードと前記第２のレンズを通して静止画を撮影する静止画モードのいずれかを選択することができるモード選択スイッチと；前記モード選択スイッチにより選択された撮像モードに応じて前記第１のカメラ部と第２のカメラ部のいずれかを選択的に駆動させる制御部とを含む撮像装置を提供することにより達成できる。
【００１３】
この時、前記第２のレンズは、前記第１のレンズの下方に設けられることが好ましい。
【００１４】
また、前記第１のレンズの上方にはフラッシュが設けられることが好ましい。
【００１５】
本発明の他の態様において、前記のような本発明の目的は、テープカセットが装・脱着される本体と；前記本体の前面に設けられる第１のレンズと；前記本体に設けられ、前記第１のレンズを通して捕らえた動画を撮影し記録する第１のカメラ部と；前記第１のレンズと所定の距離隔てられて同一方向に向かうように前記本体の前面に設けられる第２のレンズと；前記本体に設けられ、前記第２のレンズを通して捕らえた静止画を撮影し記録する第２のカメラ部と；前記本体に設けられ、前記第１のカメラ部と前記第２のカメラ部より選ばれたいずれかのカメラ部のレンズを通して捕らえた画像を表示するディスプレイ手段と；前記本体の一側に設けられ、前記第１のカメラ部で動画を撮影する動画モードと前記第２のカメラ部で静止画を撮影する静止画モードのいずれかを選択することができるモード選択スイッチと；前記モード選択スイッチにより選択された撮像モードに応じて前記第１のカメラ部と第２のカメラ部のいずれかを選択的に駆動させる制御部とを含む撮像装置を提供することにより達成される。
【００１６】
この時、前記第２のレンズは、前記第１のレンズの下方に設けられることが好ましい。
【００１７】
また、前記ディスプレイ手段は、前記本体に設けられ前記第１のカメラ部と第２のカメラ部のいずれかを通して捕らえる画像を表示するビューファインダーと、前記本体に少なくとも１軸回転可能に設けられ、前記ビューファインダーとは独立して捕らえた画像を表示するディスプレイパネルとを含む。
【００１８】
また、前記本体には、静止画を記録するフラッシュメモリが装・脱着可能なフラッシュメモリ装着部が設けられることが好ましい。
【００１９】
また、前記本体には、外部の音響信号を受信するマイクユニットを備えることができる。
【発明の効果】
【００２０】
以上で説明したように、本発明に係る撮像装置によれば、カメラ用レンズとカムコーダー用レンズの前面がそれぞれ同一方向に向かうように同質面上に設けられており、使用したいレンズをモード選択スイッチの操作だけで選択することができるため、静止画と動画の選択撮影の操作が一層容易になる。
【００２１】
また、本発明によれば、従来のように撮影モードが選択できるようにするためにカメラが組み付けられているハウジングを回転可能に作製する必要がないため、従来の撮像装置に比べて小型化することができる。
【発明を実施するための最良の形態】
【００２２】
以下、添付した図面を参照して、本発明に係る撮像装置の一実施形態について詳細に説明する。
【実施例】
【００２３】
図２乃至図４に示すように、本発明に係る撮像装置は、本体１００と、第１のカメラ部１１０と、第２のカメラ部１２０と、モード選択スイッチ１３０と、ディスプレイ手段１４０と、制御部１５０とを含む。
【００２４】
本体１００の内部には、動画及び静止画を記録するための記録媒体が装・脱着できる機能を有する記録装置が設けられる。かかる記録媒体としては、ハードディスク、メモリスティック、ＤＶＤ、テープカセット等のデジタルデータを記録することができるものであればいずれも使用することができ、記録装置は、選択された記録媒体によって該記録媒体を本体に装・脱着できるように形成されることはいうまでもない。本実施形態では、動画を記録する記録媒体としてテープカセット１０２が使用され、このテープカセット１０２を本体に装・脱着するムービングデッキ（図示せず）が設けられる。本体１００の一側面には、テープカセット１０２を装着するためのデッキドアが開閉自在に設けられる。このようなデッキドアは、本体１００の下部を開放させることによりムービングデッキにテープカセット１０２を装着することができるようになる。このようなデッキドア及びムービングデッキの技術は、一般のカムコーダーに適用されるものと類似しているので、詳細な説明は省略する。また、静止画を記録する記録媒体としては、フラッシュメモリが使用され、本体１００には、フラッシュメモリが装・脱着できるフラッシュメモリ装着部が設けられる。
【００２５】
一方、本体１００の上面には、フラッシュ１０１が設けられ、フラッシュ１０１の後方には、外部の音響を取り込むためのマイクユニット１０３が設けられる。そして、本体１００の後面には、撮像装置の動作用電源を供給するバッテリが装・脱着可能に収容されるバッテリ装着部１０５が設けられる。
【００２６】
第１のカメラ部１１０は、動画を含む画像を撮影することができるカムコーダーであって、本実施形態では、デジタルビデオカメラが使用される。第１のカメラ部１１０は、外部の画像を捕らえる第１のカメラ部の第１のレンズ１１１と、第１のレンズ１１１を通して捕らえた動画または静止画を電気的な信号に変換する第１の画像センサー１１２と、制御部１５０により制御されながら第１の画像センサー１１２を駆動させる第１のドライバ１１３とを備える。このような第１のレンズ１１１は、本体１００の正面に設けられ、第１のレンズ１１１の上側には、フラッシュ１０１が設けられる。この時、第１の画像センサー１１２は、通常、電荷結合素子（ＣＣＤ；Ｃｈａｒｇｅd  Ｃｏｕｐｌｅｄ  Ｄｅｖｉｃｅ）が使用され、その画素数は、デジタルビデオカメラのレンズに対応するように、後述する第２の画像センサー１２２の画素数より小さいものが使用される。モード選択スイッチ１３０が動画撮影モードまたは第１のカメラ部１１０による静止画撮影モードである時、制御部１５０は、第１のドライバ１１３を制御して第１の画像センサー１１２を駆動させる。このような第１のカメラ部１１０は、通常のデジタルビデオカメラ、即ち、デジタルカムコーダーに適用される構成であるため、詳しい説明は省略する。
【００２７】
第２のカメラ部１２０は、静止画を撮影するためのデジタルスチルカメラ（ＤＳＣ；Ｄｉｇｉｔａｌ  Ｓｔｉｌｌ  Ｃａｍｅｒａ）に相当するものであって、デジタルスチルカメラ用レンズである第２のレンズ１２１と、第２のレンズ１２１を通して捕らえた静止画を電気的な信号に変換する第２の画像センサー１２２と、第２の画像センサー１２２を駆動させるための第２のドライバ１２３とを備える。この時、第２のレンズ１２１は、第１のレンズ１１１と同質面上に並んで設けられることが好ましい。即ち、第１のレンズ１１１の前面と第２のレンズ１２１の前面とが同一方向に向かい、第１のレンズ１１１の光軸と第２のレンズ１２１の光軸とが一定に隔てられて相互平行して設けられる。また、第２のレンズ１２１は、第１のレンズ１１１に対し同質面上の上下、左右のいずれの位置にも設けることができるが、最も好ましくは、図３に示すように、第１のレンズ１１１の直下に設けることである。そうすると、フラッシュ１０１がカムコーダー用レンズである第１のレンズ１１１の上方に設けられているため、第２のレンズ１２１を通して静止画を捕らえる時、第２のレンズ１２１に光がすぐ入射されることが防止されるという利点もある。従って、モード選択スイッチ１３０を操作するだけで第１のレンズ１１１または第２のレンズ１２１を選択し、動画または静止画を撮影することができる。そして、第２の画像センサー１２２は、通常、電荷結合素子（ＣＣＤ）が使用され、該画素数は、デジタルスチルカメラ用レンズに対応するように前述した第１の画像センサー１１２の画素数より多いものが使用される。また、第２のカメラ部１２０の第２のドライバ１２３は、制御部１５０により駆動が制御される。即ち、モード選択スイッチ１３０により静止画モードが選択されると、制御部１５０は、第２のドライバ１２３を制御して第２の画像センサー１２２を駆動させ、第２のレンズ１２１から入射した光を電気的信号に変換することにより静止画が撮影できるようにする。このような第２のカメラ部１２０は、一般のデジタルスチルカメラの構成と同一であるため、詳細な説明は省略する。
【００２８】
モード選択スイッチ１３０は、本体１００の一側に設けられ、動画モードと静止画モードのいずれかが選択できるように２接点以上のスイッチが使用される。本実施形態では、ロータリースイッチが使用される。また、モード選択スイッチ１３０をもって、撮影機能の他、複数の機能を選択することができる。例えば、撮影した動画や静止画を後述するディスプレイ手段１４０を介してディスプレイするプレーモードをユーザが選択できるように追加することができる。
【００２９】
ディスプレイ手段１４０は、第１のカメラ部１１０と第２のカメラ部１２０を通して撮影される画像をディスプレイし、本体１００の後端に設けられたビューファインダー１４１と、本体１００の一側に設けられたディスプレイパネル１４２を備える。ディスプレイパネル１４２としては、通常、液晶表示装置（ＬＣＤ）が使用される。このようなビューファインダー１４１と液晶表示装置１４２は、一般のカムコーダーに使用されるものと類似の構成及び機能を有するため、詳しい説明は省略する。
【００３０】
制御部１５０は、上述したモード選択スイッチ１３０から伝わった信号によって撮影モードを判断し、選択された撮影モードに対応するカメラ部１１０、１２０を駆動させる。即ち、モード選択スイッチ１３０が動画モードを選択したと判断すると、第１のカメラ部１１０を駆動させ、モード選択スイッチ１３０が静止画モードを選択したと判断すると、第２のカメラ部１２０を駆動させる。制御部１５０には、キー入力部１０６を介して所定の制御データが入力されセットされる。そして、制御部１５０は、第１のカメラ部１１０から伝わる信号を処理する第１の画像処理部１６０または第２のカメラ部１２０から伝わる信号を処理する第２の画像処理部１６４をモード選択スイッチ１３０により選択された撮影モードによって選択的に駆動制御する。この時、第１の画像処理部１６０は、第１のカメラ部１１０で撮影した動画を処理する動画処理部１６２と、第２のカメラ部１２０で撮影した静止画を処理する静止画処理部１６１とに分けられる。動画処理部１６２は、入力される動画信号を処理して動画の記録媒体、例えば、テープカセット１０２に記録し、ディスプレイ手段１４０を介してディスプレイ可能な信号に圧縮処理する。また、静止画処理部１６１は、入力される静止画信号を静止画の記録媒体、例えば、フラッシュメモリ１０４に記録し、ディスプレイ手段１４０を介してディスプレイ可能な信号に圧縮処理する。第２の画像処理部１６４では、第２のカメラ部１２０で撮影した静止画を圧縮しフラッシュメモリ１０４のような静止画の記録媒体に記録することができ、ディスプレイ手段１４０を介してディスプレイ可能な信号に処理する。
【００３１】
一方、第１の画像処理部１６０の静止画処理部１６１と第２の画像処理部１６４のそれぞれで処理された信号は、マルチプレクサ１６６（ＭＵＸ）で選択的に採択され、静止画の記録媒体１０４に記録される。このようなマルチプレクサ１６６は、制御部１５０で制御して、設定された撮影モードに対応するカメラ部１１０、１２０から伝わる信号を選択するように駆動することができる。また、マルチプレクサ１６６を、モード選択スイッチ１３０と連動して、第２のカメラ部１２０のオフ（ｏｆｆ）時には一緒にオフ状態を維持し、オン（ｏｎ）時には一緒にオンするように制御することもできる。
【００３２】
以下、前記のような構成要素を有する本発明の一実施形態に係る撮像装置の動作について、添付した図面を参照して説明する。
【００３３】
まず、図２に示す本体１００に設けられるパワースイッチをオンした後、モード選択スイッチ１３０を操作し、動画モードまたは静止画モードのいずれかに設定する。そうすると、制御部１５０は、モード選択スイッチ１３０の選択モードを判断し、それに応じて第１のカメラ部１１０または第２のカメラ部１２０が被写体を撮影できるようにする。例えば、モード選択スイッチ１３０が動画モードに位置する場合、制御部１５０は、第１のカメラ部１１０を動作させる。
【００３４】
このような動画モードにおいて、キー入力部１０６を介して撮影コマンドが入力されると、制御部１５０は、第１のドライバ１１３を制御して第１の画像センサー１１２を駆動させる。そうすると、第１のレンズ１１１を通して撮影した動画は、第１の画像センサー１１２で電気的な信号に変換される。変換された電気的信号は、第１の画像処理部１６０の動画処理部１６２でテープレコーダー１０２に記録するに適する信号に圧縮処理される。圧縮処理された動画信号は、テープレコーダー１２０に記録され、リアルタイムでビューファインダー１４１とディスプレイパネル１４２を介してディスプレイされる。この時、テープレコーダー１０２に記録された動画信号は、ＵＳＢポート等を介してＰＣ等に伝送することができる。また、第１のカメラ部１１０を通して静止画を撮影することもできる。この場合、第１のカメラ部１１０を通して撮影した静止画は、第１の画像処理部１６０の静止画処理部１６１に伝わり、フラッシュメモリ１０４に記録するに適する信号に圧縮処理される。
【００３５】
一方、動画を撮影するうちに静止画を撮りたい場合、ユーザは、モード選択スイッチ１３０を操作して静止画モードを選択する。そうすると、制御部１５０は、モード選択スイッチ１３０からの信号により静止画モードで画像を撮影するために第２のカメラ部１２０を動作させる。この状態で、本体１００のキー入力部１０６を介して撮影コマンドが入力されると、制御部１５０は、第２のドライバ１２３を制御し、第２の画像センサー１２２を駆動させる。そうすると、第２のレンズ１２１を通して撮影した静止画は、第２の画像センサー１２２で電気的な信号に変換される。変換された電気的信号は、第２の画像処理部１６４でフラッシュメモリ１０４に記録するに適する信号に圧縮処理される。圧縮処理された静止画信号は、マルチプレクサ１６６を介してフラッシュメモリ１０４に記録され、リアルタイムでビューファインダー１４１またはディスプレイパネル１４２を介してディスプレイされる。そして、ユーザは、キー入力部１０６を選択的に操作し、フラッシュメモリ１０４に記録された画像信号をＵＳＢポート等を介してＰＣに伝送したり、別の補助記憶装置に記憶したりすることができる。
【００３６】
以上で説明したように、本発明に係る撮像装置は、静止画及び動画をそれぞれ撮影することができる二つのカメラ部１１０、１２０のそれぞれのレンズ１１１、１２１が同一方向に向かうようにして本体１００の前面に設けられており、それぞれのレンズ１１１、１２１を選択し撮影できるようにするモード選択スイッチ１３０を備えている。ゆえに、モード選択スイッチ１３０を操作して撮りたい撮影モードを選択すると、その選択された撮影モードに相応するカメラ部１１０、１２０が駆動され、動画または静止画を撮影することができるようになる。従って、従来、別体の製品として市販されていたデジタルスチルカメラとカムコーダーとを一体化することができ、しかもモード選択スイッチ１３０の操作だけで撮影モードを選択することができるため、静止画の撮影と動画の撮影の選択操作が容易になる。また、従来のように撮影モードを選択するためにカメラ部を回転させる必要がないため、より小型化することが可能である。
【００３７】
以上、本発明の好適な実施形態について図示し、また説明したが、本発明は、上述した特定の実施形態に限定されるものではなく、特許請求の範囲で請求する本発明の要旨を逸脱することなく当該発明の属する技術分野における通常の知識を有する者であれば種々の変形実施が可能であるはずである。
【産業上の利用可能性】
【００３８】
動画用レンズと静止画用レンズが同質面上に配され、動画モードと静止画モードのいずれかを選択することができるモード選択スイッチを備えた撮像装置に係る。
【図面の簡単な説明】
【００３９】
【図１】別のレンズを通して静止画と動画を撮影することができる従来の撮像装置の一例を示す斜視図である。
【図２】本発明に係る撮像装置の一実施形態を示す斜視図である。
【図３】図２の撮像装置のレンズ部を示す正面図である。
【図４】本発明に係る撮像装置を説明するための概略的な機能ブロック図である。
【符号の説明】
【００４０】
１００  本体
１０１  フラッシュ
１０２  テープカセット
１０３  マイクユニット
１０４  フラッシュメモリ
１０６  キー入力部
１１０  第１のカメラ部
１１１  第１のレンズ
１１２  第１の画像センサー
１１３  第１のドライバ
１２０  第２のカメラ部
１２１  第２のレンズ
１２２  第２の画像センサー
１２３  第２のドライバ
１３０  モード選択スイッチ
１４０  ディスプレイ手段
１４１  ビューファインダー
１５０  制御部
１６０  第１の画像処理部
１６４  第２の画像処理部
【図１】
2005260959.tif 000003
【図２】
2005260959.tif 000004
【図３】
2005260959.tif 000005
【図４】
2005260959.tif 000006